(57)【要約】【課題】  建築作業、鉄工作業等において壁、天井、床板、金属板等に定められた間隔にて釘、ビスを打込み、或いは穴開けをする作業が多いが、現今は目測にて施工しており、正確な間隔の作業が実施されていない。【解決】  従来の直線書き墨つぼの墨糸に正確な間隔にて節を設け、この節付き墨糸にて一定間隔の点の線を書くことにより、正確な作業を実施する。【選択図】図１
0003127774.tif 000002
【実用新案登録請求の範囲】
【請求項１】
ケース内に墨糸を巻き回した糸巻きドラムと墨付けローラーを設け、該墨付けローラーの上面に接して墨糸が引き出される時に墨付けローラーが回転することを特徴とする点書き用墨つぼ。
【請求項２】
請求項１記載の点書き用墨つぼにおいて、墨付けローラーの上部に接して押さえローラーを設け、該墨付けローラーと押さえローラーとの接触点を墨糸が通過するようにしたことを特徴とする点書き用墨つぼ。
【請求項３】
請求項１記載の点書き用墨つぼにおいて、墨糸に一定間隔にて節を設けたことを特徴とする点書き用墨つぼ。
【考案の詳細な説明】
【技術分野】
【０００１】  本考案は建築方面を主要として、造船、鉄工、木工等の各分野においても広く活用されている墨つぼに関するものである。
【背景技術】
【０００２】  建築工事及び鉄工工事等において、木材及び鉄材に長い直線を書く場合の道具として、墨つぼを、使用することは、古い時代より実施されており、近年は色々な形状の改良品が出現しているが、墨糸そのものは昔より全く変化、進歩をしていない。
本考案は墨糸の改良であり、類似する先願及び品物は全く存在していない。
【特許文献】  該当文献見当たらない。
【考案の開示】
【考案が解決しようとする課題】
【０００３】  建築工事において壁、天井、床、等に釘、ビスを打つ場合に間隔が定められているが、現今では目測で実施しているため、定められた間隔に正確に打つことは不可能である。
ゲージにて打ち点に印を付けば正確に打つことができるが、実際上そのような手数を要する事は実施できない。
簡単に手早く釘、ビスの打ち点の印付けができなければ、規則は実施できない、一応の間隔にて打てておれば問題発生はないとしても、規則に一致した施工ができることが、必要である。
【課題を解決するための手段】
【０００４】  本考案は上記問題点を解決するためになされたものであって、従来の墨つぼは線を書く事を目的としたが、本考案は点を書く事を目的としている、そのため従来の墨つぼと構成が相違している、最も異なる部分は墨糸であって、本案の墨糸は従来の墨糸に節を所定の間隔に設けたものである、この節間隔規則は施工種類により異なり、一定でないため、その規則に適合した節間隔の墨糸を使用した墨つぼを作ることが必要になる、墨糸の節は、墨を吸収し易い素材にて作られることは勿論である。
従来の墨糸は節がなく滑り易いため墨付けが容易であったが、本考案の墨糸は墨糸に節を設けられているため、滑りが円滑でない、そのため従来の墨付け方法が全く利用できない。
節のある墨糸に墨を付けるため、墨を含湿した墨付けローラーに墨糸を接触させて、墨付けをさせる、墨付けローラーに墨を含湿させる方法としては、従来の墨入れ容器の方式、即ち墨汁を入れた容器の中に綿、又は綿に類似した素材を入れ、綿に墨を含湿させる。
この墨含湿方法は従来の墨つぼと同じ方法であるが、本案は墨含湿財の中に墨糸を通さず、墨含湿材に墨付けローラーを接触回転させて、その墨付けローラーの上面に墨糸を接触させることにより、墨付けをなしている、この場合において墨糸の接触圧が弱いと、墨付けが不完全になる恐れがある、それを改善するため、墨付けローラーの上に押さえローラーを設け、この両ローラーの間に墨糸を通し引き出すことにより墨付け不良を解消する。
墨糸の出し口は、従来の墨つぼのように単なる丸穴で、支障なく使用できるが、墨糸の損傷保護を考慮するならば、出し口に軟性のガイド車を設け、墨糸の節の損傷を極力防止することが好ましい。
【考案の効果】
【０００５】  本考案は次の効果を奏する、建築、鉄工、木工、等において定められた間隔に釘、ビスを打ち込む場合に従来は目測にて実施していたため正確な間隔に施工することができなかった、しかし本案墨つぼは正しい間隔に墨印しを書くことができるため定められた間隔に簡単に正確に釘、ビスを打つことが可能である。
【考案を実施するための最良の形態】
【０００６】  本考案の墨つぼは従来の線書き用墨つぼと類似しているが、本考案墨つぼは点のある線を書くものである、そのため墨糸に節が設けられており、そり墨糸に墨を塗布するため。墨付けローラーが設けられている、この墨塗布を更に良好にする場合は墨付けローラーの上に押さえローラーを設ける、このような構成が従来と相違構成であって、その他の部分は従来の墨つぼと同じである。
【実施例】
【０００７】  以下本考案を図面に基づき詳細に説明する、図１は本考案の点書き用墨つぼの説明図であって１は墨糸である、この墨糸１は従来の糸に定められた間隔にて節３を設けたものである、この節３は墨を吸収し易い素材を使用しているため、本考案の墨つぼにて直線を書くと、点の付いた直線が釘又はビスを打つべき作業財に印書される、その点は定められた間隔に印書きされるため釘、ビス打ち間隔は当然正確なものになり、従来の目測打ちに比較して各段に優れた作業を実施することが可能になる。
２は糸巻きドラムであるが、本案の墨糸１には節３が無数に設けられているため、巻いた場合に容積が大になる、このため糸巻きドラム２の形状は従来のものより大型になる
本案の墨糸１は節３を有するため、従来のように墨綿の中を通過させる事は不可能である、そこで墨を含んだ、墨付けローラ４の上面に墨糸１を接触させ、墨糸１を引くことにより、墨付けローラー４を回動させ、墨糸１に墨を塗布する。【０００８】  ５は墨入れ容器であって墨汁を入れるものである、この中に墨含湿綿６が入っており、この墨含湿綿６に接して墨付けローラー４が回動する、墨付けローラー４の外周面は吸水性の素材にて作られているため。墨が含湿しており、そのため墨糸１に墨塗布ができる。
７は墨糸１の出し口に設けられたガイド車であって、墨糸１を引き出し、又引き入れする際に墨糸１の擦り損傷を防止するものである。
９は本案のケースであって、本案を構成する各部品の軸受けになっている、８は墨糸１の先端に設けられた取め付け用のカルコである。【０００９】  図２は本考案の、点書き用墨つぼの、墨糸１に墨を確実に塗布する機構の構成図であって、墨付けローラー４の上に押さえローラー１０を設け。墨付けローラー４の上面を引動される墨糸１を押さえることにより、墨糸１に墨の塗布を確実化する、この方法によりて、墨糸１が、速い速度にて引き出されても、墨塗布は確実にできる。
本点書き用墨つぼは、釘、ビス打ちに際し、打ち点を簡単に印書きできるため、能率よく正確な施工ができる。
本考案はこのような実施例に何ら限定されるものでなく、本考案の要旨を逸脱しない範囲において種々なる態様にて実施し得ることは勿論である。
【産業上利用の可能性】
【００１０】  近年は建築、鉄工、木工、等すべての部門にて規定施工が強く要求されてきたため、本考案の点書き用墨つぼは、今後大いに活用が期待される必需道具になる。
【図面の簡単な説明】
【００１１】
【図１】は本考案の点書き用墨つぼの説明図面である。
【図２】は本考案の点書き用墨つぼの墨糸１に墨を確実に塗布する機構の説明図である。
【符号の説明】
【００１２】１    墨糸
２    糸巻きドラム
３    節
４    墨付けローラーー
５    墨汁入れ容器
６    墨含湿綿
７    ガイド車
８    カルコ
９    ケース
１０  押さえローラー
【図１】
0003127774.tif 000003
【図２】
0003127774.tif 000004